(57)【要約】      （修正有）【課題】製造と取付が簡易に行われ、製造能率を高めて、また、回動カバーが回動中に端子の弾性力を受けたときに絶縁ハウジングから外れることを防止するＦＰＣ用電気コネクタを提供する。【解決手段】ＦＰＣ用電気コネクタ１は、絶縁ハウジング２と複数の端子４と回動カバー３とを備える。前記絶縁ハウジングには複数の挿入溝２００と受入れ溝とが設けられ、前記端子が絶縁ハウジングの挿入溝及び受入れ溝に装着される。前記回動カバーは、絶縁ハウジングに保持され、閉鎖位置と該閉鎖位置から離反した開放位置との間で回動可能に支持される。前記回動カバーは両端に設けた枢支軸３２及び該枢支軸の一端に突設した支持部３４を有し、絶縁ハウジングには該枢支軸及び支持部を収容する枢支部２４０と凹溝２４２とがそれぞれ設けられ、前記回動カバーが閉鎖位置と開放位置との間で枢支部の中心軸線を回動軸として回動する。【選択図】図３
0003107000.tif 000002
【実用新案登録請求の範囲】
【請求項１】
複数の挿入溝と受入れ溝とが設けられる絶縁ハウジングと、
絶縁ハウジングの挿入溝及び受入れ溝に装着され、押圧部とＦＰＣに圧接する接触部とが設けられる複数の端子と、
端子の押圧部を収容する収容穴と、ＦＰＣ及び端子の接触部を当接させる加圧部とを有し、閉鎖位置と該閉鎖位置から離反した開放位置との間で回動可能に支持され、絶縁ハウジングに保持された回動カバーと、
を含んで、前記回動カバーは、両端に設けた枢支軸及び該枢支軸の一端に突設された支持部を有し、絶縁ハウジングには該枢支軸及び支持部を収容する枢支部と凹溝とがそれぞれ設けられ、前記回動カバーが閉鎖位置と開放位置との間で枢支部の中心軸線を回動軸として回動し、前記回動カバーが前記開放位置に向けて回動した際に前記端子の押圧部と回動カバーの加圧部との間に隙間を有することを特徴とするＦＰＣ用電気コネクタ。
【請求項２】
前記凹溝に絶縁ハウジングの内側壁から凸部が延出し、回動カバーが回動中に、前記支持部が凸部に接触して径方向に向けて力を生じることで、前記回動カバーが端子の弾性反力を受けたときに絶縁ハウジングから外れることを防止すること特徴とする請求項１に記載の電気コネクタ。
【請求項３】
前記回動カバーが開放位置より所定位置に回動してから、端子の押圧部が回動カバーの加圧部に当接し始めること特徴とする請求項２に記載のＦＰＣ用電気コネクタ。
【請求項４】
前記回動カバーが閉鎖位置に向けて回動した後に、前記加圧部が、ＦＰＣを押圧するとともに端子の押圧部の弾性力を受けることで、ＦＰＣと端子の押圧部とを緊密に接触させることを特徴とする請求項３に記載のＦＰＣ用電気コネクタ。
【請求項５】
前記枢支軸が半円柱状で、枢支部における枢支軸に接触する面が滑らかな円弧面であることを特徴とする請求項４に記載のＦＰＣ用電気コネクタ。
【請求項６】
前記支持部が円柱環の一部分からなり、凸部と凹溝とにおける該支持部にそれぞれ接触する面が滑らかな円弧面であることを特徴とする請求項５に記載の電気コネクタ。
【請求項７】
複数の挿入溝が設けられる絶縁ハウジングと、
絶縁ハウジングの挿入溝に装着される複数の端子と、
ＦＰＣを端子と確実に電気的に導通させるため、閉鎖位置と該閉鎖位置から離反した開放位置との間で回動可能に支持され、絶縁ハウジングに保持された回動カバーと、
を含んで、前記回動カバーは、両端に設けた枢支軸及び該枢支軸の側縁に突設された支持部を有し、絶縁ハウジングには該枢支軸及び支持部を収容する枢支部と凹溝とがそれぞれ設けられ、前記回動カバーが閉鎖位置と開放位置との間で枢支部の幾何学の中心を回動軸として回動することを特徴とするＦＰＣ用電気コネクタ。
【請求項８】
前記凹溝に絶縁ハウジングの内側壁から凸部が延出し、回動カバーが回動中に、前記支持部が凸部に接触して径方向に向けて力を生じることで、前記回動カバーが端子の弾性反力を受けたときに絶縁ハウジングから外れることを防止すること特徴とする請求項７に記載の電気コネクタ。
【請求項９】
前記端子には、ＦＰＣに電気的に圧接する接触部と押圧部とが設けられること特徴とする請求項７に記載の電気コネクタ。
【請求項１０】
前記回動カバーは、端子の押圧部を収容する収容穴と、端子の接触部に当接する加圧部とを有すること特徴とする請求項９に記載の電気コネクタ。
【請求項１１】
前記回動カバーが前記開放位置に向けて回動した際に、前記端子の押圧部と回動カバーの加圧部との間に隙間を有すること特徴とする請求項１０に記載の電気コネクタ。
【請求項１２】
前記回動カバーが開放位置より所定位置に回動してから、端子の押圧部が回動カバーの加圧部に当接し始めること特徴とする請求項１１に記載のＦＰＣ用電気コネクタ。
【請求項１３】
前記回動カバーが閉鎖位置に向けて回動した後に、前記加圧部が、ＦＰＣを押圧するとともに端子の押圧部の弾性力を受けることで、ＦＰＣと端子の押圧部とを緊密に接触させることを特徴とする請求項１２に記載のＦＰＣ用電気コネクタ。
【請求項１４】
前記枢支軸が半円柱状で、枢支部における枢支軸に接触する面が滑らかな円弧面であることを特徴とする請求項１３に記載のＦＰＣ用電気コネクタ。
【請求項１５】
前記支持部が円柱環の一部分からなり、凸部と凹溝とにおける該支持部にそれぞれ接触する面が滑らかな円弧面であることを特徴とする請求項１４に記載の電気コネクタ。
【考案の詳細な説明】
【技術分野】
【０００１】
本考案は、ＦＰＣ、ＦＦＣなどと一般に呼ばれている平型柔軟ケーブル（この明細書では、これらを総称して単に「ＦＰＣ」という）を接続できるようにしたＦＰＣ用電気コネクタに関するものである。
【背景技術】
【０００２】
従来、このようなＦＰＣ用電気コネクタは、基本的に、絶縁ハウジングと、この絶縁ハウジングに所定のピッチで横並びに並設された複数の端子と、端子のコンタクト部へＦＰＣを押圧する回動カバーとを備えた構成とされる。この回動カバーは、閉鎖位置及び該閉鎖位置から離反した開放位置の間で回動することができる。閉鎖位置では、ＦＰＣが前記端子に圧接されて電気的に連接し、一方、開放位置では、ＦＰＣが前記端子と離れて取り出される（例えば、特許文献１参照）。
【０００３】
図１及び図２に示されたように、この公知の従来のＦＰＣ用電気コネクタ６は、絶縁ハウジング７と、この絶縁ハウジング７に交差するように並設された複数の第一端子７０及び第二端子７２と、該絶縁ハウジング７内に回動可能に支持される回動カバー８とを含んでいる。
【０００４】
前記絶縁ハウジング７の両端位置に、収容穴２８２がそれぞれ設けられ、前記回動カバー８の両端位置に、該収容穴２８２に対応する回動可能の回動凸部８６が備えられている。前記回動カバー８の頂壁には、長い溝８０と短い溝８２とが交互に並設され、この長い溝８０の後端にはカム８４が設けられている。前記第二端子７２は、固定部７２０と、固定部７２０から三段階形状に延出して配列された上支持部７２２、第二コンタクト部７２４及び下支持部７２６と、第二半田付け部７２８とを備える。該上支持部７２２には、前記回動カバー８のカム８４を回動可能に収容する凹部７３０が設けられている。取り付けた後、回動カバー８は前記カム８４の中心軸線を回転軸として、閉鎖位置及び開放位置の間で回動することができる。
【０００５】
しかしながら、前記の場合、回動カバー８のカム８４の中心軸線は、同一直線上にあることが必要である。こうして、製造精度及び取付精度が高められるが、コストが増えて製造能率が低下する。且つ、閉鎖位置に向けて回動した際に、回動カバー８は、前記第一端子７０及び第二端子７２の弾性力を受けると、前記絶縁ハウジング６から外れてしまう恐れがある。
【０００６】
そこで、前記従来のＦＰＣ用電気コネクタの欠点を改良した新型のＦＰＣ用電気コネクタを開発する必要がある。
【特許文献１】中国実用新案出願第２００３２０１１０３９３.９号明細書
【考案の開示】
【考案が解決しようとする課題】
【０００７】
本考案は、製造と取付とが簡易に行われ、製造能率を高めたＦＰＣ用電気コネクタを提供することを目的とする。
また、回動カバーが回動中に端子の弾性力を受けたときに絶縁ハウジングから外れることを防止するＦＰＣ用電気コネクタを提供することをその他の目的とする。
【課題を解決するための手段】
【０００８】
前記の目的を達成するために、本考案のＦＰＣ用電気コネクタは絶縁ハウジングと、複数の端子と、回動カバーとを備える。前記絶縁ハウジングは、複数の挿入溝と受入れ溝とを有している。前記端子は、絶縁ハウジングの挿入溝及び受入れ溝に装着され、ＦＰＣに圧接する接触部と押圧部とを有する。前記回動カバーは、絶縁ハウジングに保持され、閉鎖位置と該閉鎖位置から離反した開放位置との間で回動可能に支持され、端子の押圧部を収容する収容穴と、ＦＰＣ及び端子の接触部を当接させる加圧部とを有する。前記回動カバーは、両端に設けられた枢支軸及び該枢支軸の一端に突設された支持部を有し、絶縁ハウジングには該枢支軸及び支持部を収容する枢支部と凹溝とがそれぞれ設けられ、前記回動カバーが閉鎖位置と開放位置との間で枢支部の中心軸線を回動軸として回動し、前記回動カバーが前記開放位置に向けて回動した際に前記端子の押圧部と回動カバーの加圧部との間に隙間を有する。
【考案の効果】
【０００９】
従来の技術に比較して、本考案は以下の効果を有する。前記回動カバーの両端には枢支軸がそれぞれ設けられ、絶縁ハウジングには該枢支軸を回動可能に収容する枢支部が設けられている。そのため、生産の中で、両枢支部の回動中心つまり中心軸線が同一直線上に在ることを要求するだけで、製造及び取付精度の要求を低くし、コストを減らし、且つ製造能率を高めることができる。同時に、回動カバーの枢支軸は絶縁ハウジングの凹溝に収容された支持部を有している。前記凹溝に内側壁から凸部が延出する。回動カバーの回動中に、該支持部が絶縁ハウジングの凹溝に接触することによって、回動カバーが端子の弾性力を受けても絶縁ハウジングから外れることはできない。
【考案を実施するための最良の形態】
【００１０】
図３〜図１０に基づいて本考案のＦＰＣ用電気コネクタについて説明する。本考案のＦＰＣ用電気コネクタ１は、絶縁ハウジング２と、該絶縁ハウジング２に回動可能に保持された回動カバー３と、この絶縁ハウジング２に所定のピッチで横並びに並設された複数の端子４と、前記絶縁ハウジング２に錠止される一対の固定部材５とを含んでいる。
【００１１】
図３及び図４に示すように、前記絶縁ハウジング２は、矩形の収容部２０と、該収容部２０から前に延出して形成される引受け部２２と、その収容部２０の長手方向の両端部に一対の腕部２４とを備える。収容部２０の前記引受け部２２と当接する壁には、複数の挿入溝２００が設けられている。引受け部２２には前記各挿入溝２００と対応して、多数の平行に整列した受入れ溝２２０が設けられる。
【００１２】
前記腕部２４は、収容部２０及び引受け部２２と一体にされ、該腕部２４の引受け部２２と当接する側には、半円筒面からなる枢支部２４０が設けられる。該枢支部２４０における腕部２４に近寄った側には、枢支部２４０に貫通した凹溝２４２が設けられる。該凹溝２４２の腕部２４と交差する内側壁２４２０から、その凹溝２４２に収容された凸部２４４が延出し、該凸部２４４の一端は腕部２４と一体で、他端が腕部２４と距離を有する。
【００１３】
前記腕部３４には、前後方向に沿って収容孔２４６が貫設されている。該腕部２４の前端面には、収容孔２４６に近寄った所から前に延出する突出部２４８が設けられる。該突出部２４８は、階段状をなす頂面２４８０と、側面２４８２と、底面２４８４と、前面２４８６とを備える。
【００１４】
図３及び図５に示すように、前記回動カバー３は、基部３０と、基部３０の長手方向の両端から延出した枢支軸３２と、各枢支軸３２の一端にそれぞれ設置される支持部３４とを含んでいる。該回動カバー３が閉鎖位置に向けて回動した際に前記絶縁ハウジング２の引受け部２２に接触する基部３０は、上壁３００と、下壁３０２と、前壁３０４と、上壁３００と下壁３０２とに斜めに連接された後壁３０６とを備える。その前壁３０４には、前記回動カバー３を便利に操作する二つの切欠部３０４０が設けられ（図６参照）、且つ、その後壁３０６には、複数の収容穴３０６０が設けられる。
【００１５】
図８を同時に参照すると、前記回動カバー３の後端には、該回動カバー３が閉鎖位置に向けて回動した際にＦＰＣ６（破線で示す）を押圧する加圧部３０６２が設けられる。本実施形態で、前記絶縁ハウジング２の枢支部２４０内に回動可能に収容される枢支軸３２は半円柱状とされ、平面３２０とカム面３２２とを備える。前記絶縁ハウジング２の凹溝２４２及び凸部２４４に接触する支持部３４は円柱環の一部分からなり、第一円弧面３４０と第二円弧面３４２とを備える。
【００１６】
そのため、前記枢支部２４０における枢支軸３２に接触する面と、凸部２４４における支持部３４の第一円弧面３４０に接触する面と、凹溝２４２における支持部３４の第二円弧面３４２に接触する面とは滑らかな円弧面である。前記枢支軸３２の平面３２０と基部３０の上壁３００とは、略面一となる表面に設置される。枢支軸３２の平面３２０とカム面３２２の最低点との間の距離より、基部３０の上壁３００と下壁３０２との間の距離の方が小さい。
【００１７】
図６及び図７を同時に参照すると、取り付ける時、回動カバー３の枢支軸３２は絶縁ハウジング２の枢支部２４０に設置され、その支持部３４は前記凹溝２４２に収容される。回動カバー３は、開放位置と該開放位置から離反した閉鎖位置との間で、枢支部２４０の中心軸線及び枢支軸３２の円筒面の中心軸線を回転軸として回動操作可能である。この時、支持部３４が凸部２４４に接触して径方向に向けて力を生じることで、回動カバー３が端子４の弾性力を受けても絶縁ハウジング２から外れることはない。
【００１８】
図６に示すように、前記端子４は、絶縁ハウジング２の収容部２０の後端側から所定のピッチで横並びに複数装着されている。各端子４は、基体４４からコンタクトビーム４０と保持ビーム４２とがそれぞれ片持ち梁状となって延びており、端子４を絶縁ハウジング２に装着すると、コンタクトビーム４０が絶縁ハウジング２の引受け部２２の受入れ溝２２０に沿って収容され、また、保持ビーム４２がその上方に対向して絶縁ハウジング２の挿入溝２００に沿って延びるようになる。
【００１９】
図８〜図１０に示すように、保持ビーム４２の基体４４に近寄った端には係止部４２２が絶縁ハウジング２と係止して固定されるように設けられている。端子４の基体４４には、更に半田付け部４４０が下部から後方に向けて突出しており、この半田付け部４４０を回路基板（図示せず）に半田付けができるようになっている。コンタクトビーム４０の自由な末端に、ＦＰＣ６に圧接する接触部４００が設けられる。コンタクトビーム４０より短い保持ビーム４２の自由な末端は、回動カバー３の収容穴３０６０に回動可能に支持される押圧部４２０を備える。
【００２０】
前記回動カバー３が閉鎖位置に向けて回動した際に、端子４の押圧部４２０が回動カバー３の加圧部３０６２を押圧して、該加圧部３０６２が端子４の弾性力を受けることでＦＰＣ６の表面に緊密に圧接し、更にＦＰＣ６が端子４のコンタクトビーム４０に圧接される。こうして、ＦＰＣ６と端子４との間が確実に電気的に導通され、且つ、回動カバー３は端子４の接触部４００の弾性力を受けたときでも離脱方向への回動が防止される。
【００２１】
図６及び図７を参照すると、前記固定部材５は、底壁５０と、底壁５０の一端から延出した側壁５２と、側壁５２の頂端から底壁５０と平行な方向に曲がって延びる上壁５４と、側壁５２の一端から延びる固定壁５６とを含んでいる。固定部材５０を取り付けた時、前記固定壁５６が絶縁ハウジング２の収容孔２４６に装着され、且つ、前記底壁５０と側壁５２と上壁５４とは、絶縁ハウジング２の突出部２４８の頂面２４８０と底面２４８４と側面２４８２とにそれぞれ緊密に接触する。更に前記底壁５０が回路基板（図示ず）に半田付けられることによって、ＦＰＣ用電気コネクタ１が回路基板に固定される。
【００２２】
図８に示すごとく、回動カバー３を上方の開放位置にもたらすと、その加圧部３０６２と端子４の押圧部４２０との間に隙間が生じている。回動カバー３が枢支部２４０の中心軸線及び枢支軸３２の円筒面の中心軸線を回転軸として回動すると、図９に示すごとく、回動カバー３の加圧部３０６２は端子４の押圧部４２０に押圧した状態となる。次に、回動カバー３が下方の閉鎖位置に向けて回動すると、つまり図１０に示すようになると、前記加圧部３０６２は端子４の押圧部４２０に緊密に押圧される。そのため、加圧部３０６２が端子４の下方に向ける弾性力を受けて、ＦＰＣ６に圧接する。従って、ＦＰＣ６が端子４と確実に電気的に導通される。
【００２３】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００２４】
本考案は電気コネクタに関し、特に、回路基板に取り付けられる積み重ね式電気コネクタに関するものである。
【図面の簡単な説明】
【００２５】
【図１】従来例に係るＦＰＣ用電気コネクタの分解図斜視図である。
【図２】図１に示すＦＰＣ用電気コネクタの断面図である。
【図３】本考案に係るＦＰＣ用電気コネクタの分解斜視図である。
【図４】図３に示すＦＰＣ用電気コネクタのＡに示す拡大斜視図である。
【図５】図３に示すＦＰＣ用電気コネクタのＢに示す拡大斜視図である。
【図６】本考案に係るＦＰＣ用電気コネクタの回動カバーを閉鎖位置に回動した状態の斜視図である。
【図７】本考案に係るＦＰＣ用電気コネクタの回動カバーを開放位置に回動した状態の斜視図である。
【図８】図７に示すＦＰＣ用電気コネクタのＡ−Ａ線で切断した断面図である。
【図９】図７に示すＦＰＣ用電気コネクタの回動カバーを開放位置及び閉鎖位置の間にしている状態のＡ−Ａ線で切断した断面図である。
【図１０】図６に示すＦＰＣ用電気コネクタのＢ−Ｂ線で切断した断面図である。
【符号の説明】
【００２６】
１、６  ＦＰＣ用電気コネクタ
２、７  絶縁ハウジング
３、８  回動カバー
４  端子
５  固定部材
６  ＦＰＣ
２０  収容部
２２  引受け部
２４  腕部
３０  基部
３２  枢支軸
３４  支持部
４０  コンタクトビーム
４２  保持ビーム
４４  基体
５０  底壁
５２  側壁
５４  上壁
５６  固定壁
７０  第一端子
７２  第二端子
８０  長い溝
８２  短い溝
８４  カム
２００  挿入溝
２２０  受入れ溝
２４０  枢支部
２４２  凹溝
２４４  凸部
２４６  収容孔
２４８  突出部
２８２、３０６０  収容穴
３００  上壁
３０２  下壁
３０４  前壁
３０６  後壁
３２０  平面
３２２  カム面
３４０  第一円弧面
３４２  第二円弧面
４００  接触部
４２０  押圧部
４２２  係止部
４４０  半田付け部
７２０  固定部
７２２  上支持部
７２４  第二コンタクト部
７２６  下支持部
７２８  第二半田付け部
７３０  凹部
２４２０  内側壁
２４８０  頂面
２４８２  側面
２４８４  底面
２４８６  前面
３０４０  切欠部
３０６２  加圧部
【図１】
0003107000.tif 000003
【図２】
0003107000.tif 000004
【図３】
0003107000.tif 000005
【図４】
0003107000.tif 000006
【図５】
0003107000.tif 000007
【図６】
0003107000.tif 000008
【図７】
0003107000.tif 000009
【図８】
0003107000.tif 000010
【図９】
0003107000.tif 000011
【図１０】
0003107000.tif 000012